(57)【要約】      （修正有）【課題】コンセントへの抜き差し動作で、コンセントの雌型接触子と点検用雄型接触子との接触状態を簡単に判別できる簡易な電気接続具用点検装置を提供する。【解決手段】筒状本体ケース４をコンセント２側に向かって押すことで点検用雄型接触子３が筒状本体ケース４側に移動し、かつ、該押すことを止めることで点検用雄型接触子が筒状本体ケースの外方側に向かって移動するようにし、点検用雄型接触子をコンセントの差込口内に押し込むことにより、コンセント内の雌型接触子と点検用雄型接触子との間で発生する接触圧力によって点検用雄型接触子を押し返す押圧力の大きさで、コンセント内の雌型接触子と点検用雄型接触子との間の接触状態を目視判別できる接触状態判別手段７を設ける。【選択図】図１
0003185075.tif 000002
【実用新案登録請求の範囲】
【請求項１】
電気機器類に接続される電源プラグの雄型接触子と同機能を有する点検用雄型接触子と、この点検用雄型接触子が外方に向かって突出するように設けられ、かつ、前記点検用雄型接触子を電気接続具の差込口内に押し込むために片手で把持可能である筒状本体ケースとを有し、
前記筒状本体ケースを前記電気接続具側に向かって押して前記点検用雄型接触子を前記電気接続具の差込口内に押し込むと、前記電気接続具内の雌型接触子と前記点検用雄型接触子との間で発生する接触圧力による反力によって前記点検用雄型接触子が押し返されることにより前記点検用雄型接触子が前記筒状本体ケース側に向かって近づく方向に移動し、かつ、前記筒状本体ケースを前記電気接続具側に向かって押すことを止めると、前記点検用雄型接触子が前記筒状本体ケース側から離れる方向に移動するように、前記点検用雄型接触子を前記筒状本体ケースに対して移動可能に設ける共に、
前記筒状本体ケースによって前記点検用雄型接触子を前記電気接続具の差込口内に押し込むことにより、前記電気接続具内の雌型接触子と前記点検用雄型接触子との間で発生する接触圧力による反力によって前記点検用雄型接触子を押し返す押圧力の大きさで、前記雌型接触子と前記点検用雄型接触子との間の接触状態を目視判別する接触状態判別手段を具備することを特徴とする電気接続具用点検装置。
【請求項２】
前記筒状本体ケースを前記電気接続具側に向かって押して前記点検用雄型接触子を前記電気接続具の差込口内に押し込んだ際に、前記筒状本体ケース内に設けた弾性部材を介して前記点検用雄型接触子が前記電気接続具の差込口内に向かって押されるように構成すると共に、
前記筒状本体ケースを前記電気接続具側に向かって押すことにより前記弾性部材が縮むことで、前記点検用雄型接触子が前記筒状本体ケース側に向かって近づく方向に移動し、かつ、前記筒状本体ケースを前記電気接続具側に向かって押すことを止めることにより前記弾性部材が伸びることで、前記筒状本体ケースが前記点検用雄型接触子から離れる方向に移動して元の状態に戻るように構成したことを特徴とする請求項１に記載の電気接続具用点検装置。
【請求項３】
前記筒状本体ケース内に移動可能に移動筒体を設け、この移動筒体の外周にコイルばねからなる弾性部材を巻装すると共に、
前記移動筒体の先端側に前記点検用雄型接触子が取り付けられた先端側筒部材を、前記筒状本体ケースの先端より前方に突出した状態となるように設け、かつ、前記筒状本体ケースの後端面に設けた挿入開口より外方に前記移動筒体の後端側を突出させてその突出させた前記移動筒体の後端側に後端側筒部材を設け、
しかも、前記筒状本体ケースを前記電気接続具側に向かって押すことにより前記弾性部材が軸方向に縮むことで、前記筒状本体ケースの後方側に向かって前記点検用雄型接触子及び移動筒体が移動し、かつ、前記筒状本体ケースを前記電気接続具側に向かって押すことを止めることにより前記弾性部材が軸方向に伸びることで、前記点検用雄型接触子及び移動筒体が前記筒状本体ケースの前方側に向かって移動して、前記筒状本体ケースの後端面に前記後端側筒部材の端縁が係止することにより、前記点検用雄型接触子及び移動筒体の前記筒状本体ケースの前方側への移動が阻止されるように構成すると共に、
前記弾性部材の先端を前記先端側筒部材の端縁に、かつ、前記弾性部材の後端を前記筒状本体ケースの内底に、それぞれ当接させ、さらに、前記先端側筒部材の、前記筒状本体ケースの先端より前方に突出した部分の外周に、前記接触状態判別手段を設けるように構成したことを特徴とする請求項１乃至２のいずれか１項に記載の電気接続具用点検装置。
【請求項４】
前記後端側筒部材が設けられる前記移動筒体の後端側の外周に、前記接触状態判別手段を設け、この前記接触状態判別手段を、前記弾性部材が軸方向に縮むことで、前記筒状本体ケース側に前記点検用雄型接触子及び前記移動筒体が移動した際に、前記移動筒体の後端側が前記筒状本体ケースの後端面外方に露出して目視できるように構成したことを特徴とする請求項３に記載の電気接続具用点検装置。
【請求項５】
前記点検用雄型接触子の厚さ部分に、前記電気接続具内の温度を検知する温度検知手段を設けたことを特徴とする請求項１乃至４のいずれか１項に記載の電気接続具用点検装置。
【請求項６】
前記接触状態判別手段を、前記電気接続具内の雌型接触子と前記点検用雄型接触子との間で発生する接触圧力による反力によって前記点検用雄型接触子３が押し返される押圧力の大きさを目盛で読み取る目盛表示部と、この目盛表示部に対向して設けられて前記電気接続具内の雌型接触子と前記点検用雄型接触子との間で発生する接触圧力による反力によって点検用雄型接触子３が押し返される押圧力の大きさを色彩の位置で読み取る色彩表示部とを具備する構成としたこと特徴とする請求項１乃至５のいずれか１項に記載の電気接続具用点検装置。
【考案の詳細な説明】
【技術分野】
【０００１】  本考案は、電気接続具の雌型接触子とこの雌型接触子に押し込まれる電源プラグの雄型接触子との間に発生する接触圧力（摩擦力）の点検を、電気接続具の差込口への押し込み動作で、簡単に行うことのできる電気接続具用点検装置に関するものである。
【背景技術】
【０００２】  従来、例えば、掃除機やヘアードライヤなどの電気機器では、その電気機器を使用するたびに、その電気機器に接続された電源プラグの雄型接触子（栓刃・差込刃）を、商用電源に接続されたコンセント等の電気接続具内の雌型接触子（受刃）に対して、押し込んだり、抜き取ったりしている。そして、電源プラグの雄型接触子をコンセント等の電気接続具内の雌型接触子に対して押し込んだり、抜き取ったりしていることを、何回も繰り返していると、コンセント等の電気接続具内の雌型接触子が拡がってしまい、コンセント等の電気接続具内の雌型接触子と電源プラグの雄型接触子と間に発生する接触圧力（摩擦力）が小さく（接触が緩く）なってしまうため、電気接続具内の雌型接触子と電源プラグの雄型接触子との間の電気的接触抵抗が増大してしまい、コンセント等の電気接続具及び電源プラグの発熱、発火、発煙等の事故を発生させることがあった。【０００３】  従来、コンセント等の電気接続具内の雌型接触子と電源プラグの雄型接触子との接触不具合の発生を検知する装置としては、電源プラグ内に感温素子を設けてこの感温素子が異常温度を検知すると、警報装置を作動させることで、電源プラグの発熱、発火、発煙などの事故の発生を未然に阻止するようにしたものが知られている（例えば、特許文献１参照）。【０００４】  さらに、従来、コネクター等の電気接続具内の雌型接触子と電源プラグの雄型接触子との接触不具合の発生を検知する装置としては、ノイズ除去用コンデンサーとコネクター等の電気接続具とから閉回路を形成し、このコネクター等の電気接続具の接触抵抗とノイズ除去用コンデンサーにより生起する電圧と、コネクター等の電気接続具が接触不良を起こしているか否かを判断するための基準電圧とを比較して、その比較値が所定値以上のとき、コネクター等の電気接続具接触不良信号を出力するようにしたものが知られている（例えば、特許文献２参照）。
【先行技術文献】
【特許文献】
【０００５】
【特許文献１】  特開２００２−３５２６３５号公報
【特許文献１】  特開２０００−２３０９６０号公報
【考案の概要】
【考案が解決しようとする課題】
【０００６】  上述した特開２００２−３５２６３５号公報に記載の従来の装置は、異常温度が起因して発生するところの電源プラグの発火、発煙などの事故を未然に防止することが可能であるが、コンセント等の電気接続具内の雌型接触子の拡がり変形などによって電気接続具内の雌型接触子と電源プラグの雄型接触子との間の接触圧力（摩擦力）が小さく（接触が緩く）なっているか否かの点検確認をすることができないものであり、しかも、感温素子や警報装置を設ける必要があって原価高になってしまうという問題点を有していた。【０００７】  さらに、上述した特開２０００−２３０９６０号公報に記載の従来の装置は、住宅内等の壁に取り付けられたコンセント等の電気接続具内の雌型接触子の拡がり変形などによって電気接続具内の雌型接触子と電源プラグの雄型接触子との間の接触圧力（摩擦力）が小さく（接触が緩く）なっているか否かの点検確認をすることができないものであり、しかも、電気接続具接触不良信号を出力するために、電流源、電圧計、基準電圧発生器、及び電圧検出部等を必要とするものであって、構造が複雑となり原価高になってしまうという問題点を有していた。【０００８】  そして、上述した特開２００２−３５２６３５号公報及び特開２０００−２３０９６０号公報に記載のいずれの装置でも、電源プラグが差し込まれていない状態のコンセント等の電気接続具につき、その電気接続具内の雌型接触子とその電気接続具に押し込まれる電源プラグの雄型接触子との間に発生する接触圧力（摩擦力）が小さく（接触が緩く）なるか否かの点検をすることができないものである。【０００９】  本考案の目的は、上述の問題点に鑑みてなされたものであって、電気機器等に接続された電源プラグの雄型接触子を、住宅内等の壁に取り付けられたコンセントなどの電気接続具に押し込んで使用する前に、電気接続具内の雌型接触子とその電気接続具に押し込まれる電源プラグの雄型接触子との間に発生する接触圧力（摩擦力）が小さく（接触が緩く）なるか否かの点検を、簡単に行える構造簡単な電気接続具用点検装置を提供することにある。なお、本明細書において、電気接続具には、雌型接触子を内蔵したコンセントに限定されず、雌型接触子を内蔵したテーブルタップ及びコネクターと称されるものも含まれるものとする。
【課題を解決するための手段】
【００１０】  上記目的を達成するために、本考案は、電気機器類に接続される電源プラグの雄型接触子と同機能を有する点検用雄型接触子と、この点検用雄型接触子が外方に向かって突出するように設けられ、かつ、前記点検用雄型接触子を電気接続具の差込口内に押し込むために片手で把持可能である筒状本体ケースとを有し、前記筒状本体ケースを前記電気接続具側に向かって押して前記点検用雄型接触子を前記電気接続具の差込口内に押し込むと、前記電気接続具内の雌型接触子と前記点検用雄型接触子との間で発生する接触圧力による反力によって前記点検用雄型接触子が押し返されることにより前記点検用雄型接触子が前記筒状本体ケース側に向かって近づく方向に移動し、かつ、前記筒状本体ケースを前記電気接続具側に向かって押すことを止めると、前記点検用雄型接触子が前記筒状本体ケース側から離れる方向に移動するように、前記点検用雄型接触子を前記筒状本体ケースに対して移動可能に設ける共に、前記筒状本体ケースによって前記点検用雄型接触子を前記電気接続具の差込口内に押し込むことにより、前記電気接続具内の雌型接触子と前記点検用雄型接触子との間で発生する接触圧力による反力によって前記点検用雄型接触子を押し返す押圧力の大きさで、前記雌型接触子と前記点検用雄型接触子との間の接触状態を目視判別する接触状態判別手段を具備するようにしたものである。【００１１】  さらに、本考案は、前記筒状本体ケースを前記電気接続具側に向かって押して前記点検用雄型接触子を前記電気接続具の差込口内に押し込んだ際に、前記筒状本体ケース内に設けた弾性部材を介して前記点検用雄型接触子が前記電気接続具の差込口内に向かって押されるように構成すると共に、前記筒状本体ケースを前記電気接続具側に向かって押すことにより前記弾性部材が縮むことで、前記点検用雄型接触子が前記筒状本体ケース側に向かって近づく方向に移動し、かつ、前記筒状本体ケースを前記電気接続具側に向かって押すことを止めることにより前記弾性部材が伸びることで、前記筒状本体ケースが前記点検用雄型接触子から離れる方向に移動して元の状態に戻るように構成したことを特徴としている。【００１２】  さらに、本考案は、前記筒状本体ケース内に移動可能に移動筒体を設け、この移動筒体の外周にコイルばねからなる弾性部材を巻装すると共に、前記移動筒体の先端側に前記点検用雄型接触子が取り付けられた先端側筒部材を、前記筒状本体ケースの先端より前方に突出した状態となるように設け、かつ、前記筒状本体ケースの後端面に設けた挿入開口より外方に前記移動筒体の後端側を突出させてその突出させた前記移動筒体の後端側に後端側筒部材を設け、しかも、前記筒状本体ケースを前記電気接続具側に向かって押すことにより前記弾性部材が軸方向に縮むことで、前記筒状本体ケースの後方側に向かって前記点検用雄型接触子及び移動筒体が移動し、かつ、前記筒状本体ケースを前記電気接続具側に向かって押すことを止めることにより前記弾性部材が軸方向に伸びることで、前記点検用雄型接触子及び移動筒体が前記筒状本体ケースの前方側に向かって移動して、前記筒状本体ケースの後端面に前記後端側筒部材の端縁が係止することにより、前記点検用雄型接触子及び移動筒体の前記筒状本体ケースの前方側への移動が阻止されるように構成すると共に、前記弾性部材の先端を前記先端側筒部材の端縁に、かつ、前記弾性部材の後端を前記筒状本体ケースの内底に、それぞれ当接させ、さらに、前記先端側筒部材の、前記筒状本体ケースの先端より前方に突出した部分の外周に、前記接触状態判別手段を設けるように構成したことを特徴としている。【００１３】  さらに、本考案は、前記後端側筒部材が設けられる前記移動筒体の後端側の外周に、前記接触状態判別手段を設け、この前記接触状態判別手段を、前記弾性部材が軸方向に縮むことで、前記筒状本体ケース側に前記点検用雄型接触子及び前記移動筒体が移動した際に、前記移動筒体の後端側が前記筒状本体ケースの後端面外方に露出して目視できるように構成したことを特徴としている。【００１４】  さらに、本考案は、前記点検用雄型接触子の厚さ部分に、前記電気接続具内の温度を検知する温度検知手段を設けたことを特徴としている。【００１５】  さらに、本考案は、前記接触状態判別手段を、前記電気接続具内の雌型接触子と前記点検用雄型接触子との間で発生する接触圧力による反力によって前記点検用雄型接触子３が押し返される押圧力の大きさを目盛で読み取る目盛表示部と、この目盛表示部に対向して設けられて前記電気接続具内の雌型接触子と前記点検用雄型接触子との間で発生する接触圧力による反力によって点検用雄型接触子３が押し返される押圧力の大きさを色彩の位置で読み取る色彩表示部とを備える構成としたことを特徴としている。
【考案の効果】
【００１６】  請求項１の考案によれば、例えば、住宅内等の壁に取り付けられたコンセント等の電気接続具の差込口内に、電気接続具用点検装置の筒状本体ケースを把持して、点検用雄型接触子を電気接続具の差込口内に押し込むだけで、電気接続具の雌型接触子とこの雌型接触子に押し込まれる点検用雄型接触子との間の接触圧力による反力によって点検用雄型接触子を押し返す押圧力の大きさを、接触状態判別手段により目視で確認することができるため、電気接続具内の雌型接触子とその電気接続具に押し込まれる電源プラグの雄型接触子との間の接触が緩くなるか否かの点検を、簡単に行うことのできる電気接続具用点検装置を提供することができた。【００１７】  また、請求項１の考案によれば、構造簡単であって、小形化軽量化が図られるので、携帯に便利であって、家庭内等にある複数個のコンセント等の電気接続具全てにつき、電気機器等に接続された電源プラグの雄型接触子を、家庭内等にある複数個のコンセント等の電気接続具に押し込んで使用する前に、電気接続具内の雌型接触子とその電気接続具に押し込まれる電源プラグの雄型接触子との間に発生する接触圧力（摩擦力）が小さく（接触が緩く）なってしまうか否かの点検作業を、一個の電気接続具用点検装置で、難なく円滑に行うことができる。【００１８】  さらに、請求項２の考案によれば、筒状本体ケース内に設けた弾性部材を伸縮させることで、点検用雄型接触子の移動を、円滑に、かつ、簡単に行わせることのできる構造簡単な電気接続具用点検装置を提供することができた。【００１９】  さらに、請求項３の考案によれば、筒状本体ケース内に移動筒体を設け、この移動筒体の外周に弾性部材を設け、この弾性部材をコイルばねとして、このコイルばねを伸縮させることで、点検用雄型接触子の移動を行わせるようにしたので、コイルばねが長くても座屈するようなことがなく、点検用雄型接触子の移動を円滑に行うことのできると共に、点検用雄型接触子を電気接続具の差込口に当てた後、筒状本体ケースを片手で把持してその筒状本体ケースを電気接続具側に押しながら、先端側筒部材の外周に設けた接触状態判別手段を目視することができ、電気接続具内の雌型接触子とその電気接続具に押し込まれる電源プラグの雄型接触子との間に発生する接触圧力（摩擦力）が小さく（接触が緩く）なるか否かの点検作業を、簡単に行うことのできる電気接続具用点検装置を提供することができた。【００２０】  さらに、請求項４の考案によれば、点検用雄型接触子を電気接続具の差込口に当てた後、筒状本体ケースを片手で把持してその筒状本体ケースを電気接続具側に押しながら、後端側筒部材が設けられる移動筒体の後端側の外周に設けた接触状態判別手段を目視することによっても、電気接続具内の雌型接触子とその電気接続具に押し込まれる電源プラグの雄型接触子との間に発生する接触圧力（摩擦力）が小さく（接触が緩く）なるか否かの点検作業を、簡単に行うことのできる電気接続具用点検装置を提供することができた。【００２１】  さらに、請求項５の考案によれば、点検用雄型接触子を電気接続具の差込口内に抜き差しして、温度検知手段を目視することで、電気接続具内の温度が異常上昇しているか否かの点検を、簡単に行うことのできる電気接続具用点検装置を提供することができた。【００２２】  さらに、請求項６の考案によれば、目盛で読み取る目盛表示部と色彩の位置で読み取る色彩表示部とを対向させているので、電気接続具内の雌型接触子と点検用雄型接触子との間で発生する接触圧力による反力によって点検用雄型接触子が押し返される押圧力の大きさを、点検作業者が難なく正確に把握することができ、電気接続具内の雌型接触子とその電気接続具内に押し込まれる点検用雄型接触子との間の接触状態の判別点検を円滑に行うことのできる電気接続具用点検装置を提供することができた。
【図面の簡単な説明】
【００２３】
【図１】本考案の一実施形態例に係り、電気接続具用点検装置の使用開始状態を示す、斜視図である。
【図２】本考案の一実施形態例に係り、電気接続具用点検装置の平面図である。
【図３】本考案の一実施形態例に係り、図２のＸ−Ｘ断面図である。
【図４】本考案の一実施形態例に係り、電気接続具用点検装置の先端側筒部材側の要部斜視図である。
【図５】本考案の一実施形態例に係り、電気接続具用点検装置の移動筒体の後端側が筒状本体ケースの後端面外方に露出した状態における要部斜視図である。
【図６】本考案の一実施形態例に係り、電気接続具用点検装置の点検用雄型接触子をコンセントの差込口に押し込んだ状態における要部断面図である。
【図７】本考案の一実施形態例に係り、電気接続具用点検装置の点検用雄型接触子をコンセントの差込口に押し込まない状態における要部断面図である。
【図８】本考案の一実施形態例に係り、電気接続具用点検装置の接触状態判別手段部分の拡大平面図である。
【図９】本考案の他実施形態例その１に係り、電気接続具用点検装置の要部断面図である。
【図１０】本考案の他実施形態例その２に係り、電気接続具用点検装置の要部断面図である。
【図１１】本考案の他実施形態例その２に係り、電気接続具用点検装置の平面図である。
【図１２】本考案の他実施形態例その２に係り、電気接続具用点検装置の接触状態判別手段部分の拡大平面図である。
【考案を実施するための形態】
【００２４】  以下、本考案の実施形態例を、図１〜図１２に基づき、具体的に説明する。なお、以下の実施形態例の説明では、電気接続具としては、室内の壁に設置されたコンセントの場合を例に説明する。
【００２５】  図１〜図８は、本考案の一実施形態例の電気接続具用点検装置１を示す。本考案の一実施形態例の電気接続具用点検装置１は、図１〜図３に示すように、コンセント２の差込口２Ａ若しくは差込口２Ｂのいずれか一方に押し込まれてコンセント２内の雌型接触子２Ｃ若しくは雌型接触子２Ｄ（図６及び図７参照）のいずれか一方に接触する一本の点検用雄型接触子（差込診断子）３と、この点検用雄型接触子３を外方に向かって突出するように保持し、かつ、片手で把持可能である筒状本体ケース４とを、有している。点検用雄型接触子３は、金属製であって、掃除機やヘアードライヤなどの電気機器に接続された電源プラグ（図示せず）の雄型接触子（栓刃・差込刃）と同機能を有しており、同形状及び同材質としてある。筒状本体ケース４は、合成樹脂製の円筒材から構成され、大人が握ったときに握りやすい太さと長さに設定されている。上記一実施形態例の電気接続具用点検装置１は、最大長さＬ１が約１６０ｍｍに、最大太さＬ２が約２５ｍｍにそれぞれ設定されていると共に、筒状本体ケース４の長さＬ３が約７５ｍｍに設定されている（図２参照）。
【００２６】  上記一実施形態例の電気接続具用点検装置１は、筒状本体ケース４をコンセント２側に向かって押して点検用雄型接触子３をコンセント２の差込口２Ａ若しくは差込口２Ｂのいずれか一方に押し込むと、コンセント２内の雌型接触子２Ｃ若しくは雌型接触子２Ｄのいずれか一方と点検用雄型接触子３との間で発生する接触圧力（摩擦力）による反力によって、点検用雄型接触子３が押し返されることにより点検用雄型接触子３が筒状本体ケース４側に向かって近づく方向に移動し、かつ、筒状本体ケース４をコンセント２側に向かって押すことを止めると、点検用雄型接触子３が筒状本体ケース４側から離れる方向に移動するように、点検用雄型接触子３を筒状本体ケース４に対して移動可能に設けるようにしてある。したがって、点検用雄型接触子３を筒状本体ケース４側に向かって近づく方向に押し返えす押圧力の大きさは、コンセント２内の雌型接触子２Ｃ若しくは雌型接触子２Ｄのいずれか一方と点検用雄型接触子３との間で発生する接触圧力の大きさに比例して大きくなる。それゆえに、コンセント２内の雌型接触子２Ｃ若しくは雌型接触子２Ｄのいずれか一方と点検用雄型接触子３との間で発生する接触圧力の大きさに比例して、点検用雄型接触子３の移動距離が大きくなる。よって、点検用雄型接触子３の移動距離の大きさを確認することで、コンセント２内の雌型接触子２Ｃ若しくは雌型接触子２Ｄのいずれか一方と点検用雄型接触子３との接触状態を確認することができる。
【００２７】  上記一実施形態例の電気接続具用点検装置１は、筒状本体ケース４をコンセント２側に向かって押して点検用雄型接触子３をコンセント２の差込口２Ａ内若しくは差込口２Ｂ内のいずれか一方に押し込んだ際に、筒状本体ケース４内に設けた後述するコイルばねからなる弾性部材５を介して点検用雄型接触子３がコンセント２の差込口２Ａ若しくは差込口２Ｂのいずれか一方側に向かって押されるようになっており、筒状本体ケース４をコンセント２側に向かって押すことにより弾性部材５が縮むことで、点検用雄型接触子３が筒状本体ケース４側に向かって近づく方向に移動し、かつ、筒状本体ケース４をコンセント２側に向かって押すことを止めることにより弾性部材５が伸びることで、筒状本体ケース４が点検用雄型接触子３から離れる方向に移動して元の状態に戻るように構成されている（図６及び図７参照）。
【００２８】  上記一実施形態例の電気接続具用点検装置１では、筒状本体ケース４内に移動可能に移動筒体６を設け、この移動筒体３の外周にコイルばねからなる弾性部材５を巻装するようにすると共に、筒状本体ケース４によって点検用雄型接触子３をコンセント２の差込口２Ａ若しくは差込口２Ｂのいずれか一方側内に押し込むことにより、コンセント２内の雌型接触子２Ｃ若しくは雌型接触子２Ｄのいずれか一方と点検用雄型接触子３との間で発生する接触圧力による反力によって点検用雄型接触子３を押し返す押圧力の大きさで、コンセント２内の雌型接触子２Ｃ若しくは雌型接触子２Ｄと点検用雄型接触子３との間の接触状態を目視判別する接触状態判別手段７、７０を設けるようにしている。
【００２９】  接触状態判別手段７は、筒状本体ケース４をコンセント２側に向かって押さない状態で、先端側筒部材８の、筒状本体ケース４の先端４Ａより前方に露出している部分（突出している部分）の外周に、設けられる（図２及び図４参照）。また、接触状態判別手段７０は、筒状本体ケース４をコンセント２側に向かって押した状態で、移動筒体６の後端側６Ｂの、筒状本体ケース４の後端面４Ｂより後方に向かって露出している部分（突出している部分）の外周に、設けられる（図５参照）。
【００３０】  移動筒体６の先端側６Ａには、図３に示すように、点検用雄型接触子３が取り付けられた合成樹脂製の先端側筒部材８を、筒状本体ケース４の先端４Ａより前方に突出した状態となるように設け、かつ、筒状本体ケース４の後端面４Ｂに設けた挿入開口４Ｄより外方に移動筒体６の後端側６Ｂを突出させてその突出させた移動筒体６の後端側６Ｂに合成樹脂製の後端側筒部材９を設けるようにしてある。そして、弾性部材５及び移動筒体６は、筒状本体ケース４をコンセント２側に向かって押すことによりコイルばねからなる弾性部材５が軸方向に縮むことで、筒状本体ケース４の後方側に向かって点検用雄型接触子３及び移動筒体６が移動し、かつ、筒状本体ケース４をコンセント２側に向かって押すことを止めることによりコイルばねからなる弾性部材５が軸方向に伸びることで、点検用雄型接触子３及び移動筒体６が筒状本体ケース４の前方側に向かって移動するように、筒状本体ケース４に設けられている。しかも、点検用雄型接触子３及び移動筒体６の筒状本体ケース４の前方側への移動は、筒状本体ケース４の後端面４Ｂに後端側筒部材９の端縁９Ａが係止することにより、阻止されるように構成されている（図６及び図７参照）。
【００３１】  コイルばねからなる弾性部材５は、その先端５Ａを先端側筒部材８の端縁８Ｃに、かつ、その後端５Ｂを筒状本体ケース４の内底４Ｃに、それぞれ当接させた状態で、筒状本体ケース４内に設けられている。弾性部材５は、金属製ばね線材からなるコイルばね（等ピッチコイルばね）が用いられている。移動筒体６は、両端開口の合成樹脂からなる円筒状パイプ材から構成されている。
【００３２】  上記一実施形態例の点検用雄型接触子３は、図３に示すように、その点検用雄型接触子３の先端側３Ａを先端側筒部材８の内底８Ａの中央に設けられた貫通口８Ｂから先端側筒部材８の先端面８Ｄ外方に突出させると共に、その点検用雄型接触子３の後端側の根本部３Ｂを先端側筒部材８の内底８Ａに接着樹脂材３Ｃを用いて堅牢に固定させる。先端側筒部材８及び後端側筒部材９は、有底の円筒状パイプ材から構成されている。先端側筒部材８は、移動筒体６の先端６Ａ側の外周に圧入固定されることで、移動筒体６と一体化される。後端側筒部材９は、移動筒体６の後端６Ｂ側の外周に圧入固定されることで、移動筒体６と一体化される。
【００３３】  後端側筒部材９が設けられる移動筒体６の後端６Ｂ側の外周には、図５に示すように、接触状態判別手段７０を設ける。この接触状態判別手段７０は、弾性部材５が軸方向に縮むことで、筒状本体ケース４側に向かって点検用雄型接触子３及び移動筒体６が移動した際に、移動筒体６の後端側６Ｂが筒状本体ケース４の後端面４Ｂの外方に露出して目視できるようにしてある。
【００３４】  上記一実施形態例の電気接続具用点検装置１は、筒状本体ケース４をコンセント２側に向かって押すことにより弾性部材５が軸方向に縮むことで、筒状本体ケース４の後方側に向かって点検用雄型接触子３及び移動筒体６が移動し、かつ、筒状本体ケース４をコンセント２側に向かって押すことを止めることにより弾性部材５が軸方向に伸びることで、点検用雄型接触子３及び移動筒体６が筒状本体ケース４の前方側に向かって移動して筒状本体ケース４の後端面４Ｂに後端側筒部材９の端縁９Ａが係止することにより、点検用雄型接触子３及び移動筒体６の筒状本体ケース４の前方側への移動が阻止されるように、筒状本体ケース４、コイルばねからなる弾性部材５、移動筒体６、先端側筒部材８及び後端側筒部材９の各種寸法が設定されている。
【００３５】  上記一実施形態例の点検用雄型接触子３は、先端側筒部材８の先端面８Ｄから外方（前方）に突出させた部分の長さ（寸法）を、約１７．５ｍｍとしてある。点検用雄型接触子３には、直径約３ｍｍの透孔３Ｄが設けられている。透孔３Ｄの中心位置は、先端側筒部材８の先端面８Ｄから外方（前方）に、約１１．５ｍｍ離れた位置としてある。また、コンセント２内の雌型接触子２Ｃ及び雌型接触子２Ｄには、図６及び図７に示すように、球面状の突部２Ｅが設けられている。点検用雄型接触子３をコンセント２内の雌型接触子２Ｃ若しくは雌型接触子２Ｄのいずれか一方に差し込んだ際に、雌型接触子２Ｃの球面状の突部２Ｅ若しくは雌型接触子２Ｄの球面状の突部２Ｅが、点検用雄型接触子３の透孔３Ｄに係合（圧接嵌合）することで、点検用雄型接触子３が位置決めされて抜き差し可能な程度に係止されるように、球面状の突部２Ｅの大きさが設定されている。
【００３６】  上記一実施形態例の電気接続具用点検装置１では、図３に示すように、筒状本体ケース４をコンセント２側に向かって押さない状態で、移動筒体６の先端６Ａ側に設けた先端側筒部材８が、筒状本体ケース４の先端４Ａから外方に向かって露出していると共に、筒状本体ケース４をコンセント２側に向かって押さない状態で、移動筒体６の後端６Ｂ側に設けた後端側筒部材９のみが、筒状本体ケース４の後端面４Ｂから露出して、移動筒体６の後端６Ｂ側が筒状本体ケース４の後端４Ｂから外方に向かって露出しないように設定されている。そして、上記一実施形態例の電気接続具用点検装置１は、筒状本体ケース４をコンセント２側に向かって押す状態では、移動筒体６に設けた先端側筒部材８が、筒状本体ケース４の先端４Ａから筒状本体ケース４内に向かって移動すると同時に、移動筒体６の後端側６Ｂに設けた後端側筒部材９が、筒状本体ケース４の後端面４Ｂから後方（外方）に向かって移動して、移動筒体６の後端側６Ｂの外周が露出するように設定されている（図５参照）。
【００３７】  上記一実施形態例の電気接続具用点検装置１の接触状態判別手段７は、図４及び図８に示すように、コンセント２内の雌型接触子２Ｃ若しくは雌型接触子２Ｄのいずれか一方と点検用雄型接触子３との間で発生する接触圧力（摩擦力）による反力によって点検用雄型接触子３が押し返される押圧力の大きさを目盛で読み取る目盛表示部７Ａと、この目盛表示部７Ａに対向して設けられてコンセント２内の雌型接触子２Ｃ若しくは雌型接触子２Ｄのいずれか一方と点検用雄型接触子３との間で発生する接触圧力による反力によって点検用雄型接触子３が押し返される押圧力の大きさを色彩の位置で読み取る色彩表示部７Ｂを、少なくとも備える構成としてある。
【００３８】  接触状態判別手段７の目盛表示部７Ａは、零ｍｍから２０ｍｍの範囲で、かつ、１ｍｍ単位で点検用雄型接触子３の筒状本体ケース４側への移動距離が確認できるように、目盛が付けられる構成としてある。そして、目盛表示部７Ａの零ｍｍ目盛が、筒状本体ケース４の先端４Ａの位置に略一致するように、移動筒体６に設けた先端側筒部材８に付けられ、その零ｍｍ目盛から先端側筒部材８外周の先端側に向かって２０ｍｍまでの目盛が付けられている。接触状態判別手段７の色彩表示部７Ｂは、図８に示すように、目盛表示部７Ａに対向して設けられて点検用雄型接触子３が筒状本体ケース４側に移動した距離の大きさ、すなわち、雌型接触子２Ｃ若しくは雌型接触子２Ｄのいずれか一方と点検用雄型接触子３との間の接触圧力（摩擦力）による反力によって点検用雄型接触子３が押し返される押圧力の大きさを、目視で確認しやすくなるようにするためのものである。
【００３９】  上記一実施形態例の電気接続具用点検装置１では、筒状本体ケース４をコンセント２側に向かって押圧して、点検用雄型接触子３をコンセント２の差込口２Ａ若しくは差込口２Ｂのいずれか一方に押し込むと、コンセント２内の雌型接触子２Ｃ若しくは雌型接触子２Ｄのいずれか一方と点検用雄型接触子３との間の接触圧力（摩擦力）により、点検用雄型接触子３及び移動筒体６が、押圧されて弾性部材５が軸方向に縮むことで、筒状本体ケース４側に移動する。その点検用雄型接触子３及び移動筒体６の移動距離は、雌型接触子２Ｃ若しくは雌型接触子２Ｄのいずれか一方と点検用雄型接触子３との間の接触圧力（摩擦力）に起因する反力により発生するところの、点検用雄型接触子３を押し返す押圧力の大きさに比例して大きくなる。そこで、上記一実施形態例の電気接続具用点検装置１では、点検用雄型接触子３及び移動筒体６を約１ｍｍ移動させる場合の、押圧力の大きさが約１００ｇとなるように、かつ、点検用雄型接触子３及び移動筒体６を約１０ｍｍ移動させる場合の押圧力の大きさが約１ｋｇとなるように、しかも、点検用雄型接触子３及び移動筒体６を約２０ｍｍ移動させる場合の押圧力の大きさが約２ｋｇとなるように、コイルばねからなる弾性部材５のばね圧を設定してある。
【００４０】  上記一実施形態例の接触状態判別手段７の色彩表示部７Ｂは、点検用雄型接触子３の筒状本体ケース４側への移動距離が５ｍｍ以下であって、雌型接触子２Ｃ若しくは雌型接触子２Ｄのいずれか一方と点検用雄型接触子３との間で発生する接触圧力による反力によって点検用雄型接触子３を押し返す押圧力の大きさが５００ｇ以下の範囲内であることを表示する赤色帯表示部７Ｂ−１と、点検用雄型接触子３の筒状本体ケース４側への移動距離が５ｍｍを超え１５ｍｍ以内であって、雌型接触子２Ｃ若しくは雌型接触子２Ｄのいずれか一方と点検用雄型接触子３との間で発生する接触圧力（摩擦力）による反力によって点検用雄型接触子３を押し返す押圧力の大きさが５００ｇを超え１．５ｋｇ以内であることを表示する黄色帯表示部７Ｂ−２と、点検用雄型接触子３の筒状本体ケース４側への移動距離が１５ｍｍを超え２０ｍｍ以内であって、雌型接触子２Ｃ若しくは雌型接触子２Ｄのいずれか一方と点検用雄型接触子３との間で発生する接触圧力による反力によって点検用雄型接触子３を押し返す押圧力の大きさが１．５ｋｇを超え２ｋｇ以内であることを表示する緑色帯表示部７Ｂ−３とからなっている。
【００４１】  上記一実施形態例の色彩表示部７Ｂは、筒状本体ケース４の先端４Ａが色彩表示部７Ｂの赤色帯表示部７Ｂ−１に位置していた場合は、コンセント２の雌型接触子と点検用雄型接触子３との間の接触圧力が小さく、コンセント２の雌型接触子と点検用雄型接触子３との接触が緩く、コンセント２の交換修理が必要であることを示している。また、筒状本体ケース４の先端４Ａが色彩表示部７Ｂの黄色帯表示部７Ｂ−２に位置していた場合は、コンセント２の雌型接触子と点検用雄型接触子３との間の接触圧力が小さくなり始めて、コンセント２の雌型接触子と点検用雄型接触子３との接触が緩くなり始めているが、コンセント２を交換修理するまでの必要がないが注意をする必要であることを示している。また、筒状本体ケース４の先端４Ａが色彩表示部７Ｂの緑色帯表示部７Ｂ−３に位置していた場合は、コンセント２の雌型接触子と点検用雄型接触子３との間の接触圧力が大きく、コンセント２の雌型接触子と点検用雄型接触子３との接触が十分で（きつく）、コンセント２をそのまま使用してもよいことを示している。
【００４２】移動筒体６の後端６Ｂ側に設けた接触状態判別手段７０も、先端側筒部材８の外周に設けた接触状態判別手段７と同様に、目盛表示部７０Ａと色彩表示部７０Ｂとから構成されている（図５参照）。そして、目盛表示部７０Ａでは、目盛表示部７０Ａの零ｍｍ目盛が、後端側筒部材９の端縁９Ａの位置に略一致するように、移動筒体６外周に付けられ、その零ｍｍ目盛から移動筒体６の先端側６Ａに向かって２０ｍｍまでの目盛が付けられている。また、色彩表示部７０Ｂは、赤色帯表示部７Ｂ−１と同様の赤色帯表示部７０Ｂ−１と、黄色帯表示部７Ｂ−２と同様の黄色帯表示部７０Ｂ−２と、緑色帯表示部７Ｂ−３と同様の緑色帯表示部７０Ｂ−３とからなり、後端側筒部材９の端縁９Ａから移動筒体６の先端６Ａ側に向かって、赤色帯表示部７０Ｂ−１、黄色帯表示部７０Ｂ−２、緑色帯表示部７０Ｂ−３の順で表示されるようにしてある。なお、接触状態判別手段７は、目盛表示部７Ａ及び色彩表示部７Ｂを予め印刷したシールを、先端側筒部材８の外周に貼り付けることで、かつ、接触状態判別手段７０は、目盛表示部７０Ａ及び色彩表示部７０Ｂを予め印刷したシールを、移動筒体６の後端側６Ｂの外周に貼り付けることで、それぞれ設けられるようにしてある。
【００４３】  さらに、上記一実施形態例の電気接続具用点検装置１では、図４に示すように、点検用雄型接触子３の側面に、コンセント２内の温度を検知する温度検知手段１０を設けている。温度検知手段１０は、液状の可塑性サーモペイントを点検用雄型接触子３の側面に塗布することで構成され、点検用雄型接触子３の温度が約４０℃になると変色するようにしてある。
【００４４】  上記一実施形態例の電気接続具用点検装置１において、図６に示すように、筒状本体ケース４を把持して点検用雄型接触子３を、約３秒かけてゆっくりと、コンセント２の差込口２Ｂに押し込ませると、コンセント２内の雌型接触子２Ｄと点検用雄型接触子３との間の接触圧力（摩擦力）により、点検用雄型接触子３が押圧力を受けて、コイルばねからなる弾性部材５が軸方向に圧縮することで、筒状本体ケース４が先端側筒部材８上を前方に向かって移動しつつ、やがて、雌型接触子２Ｄの球面状の突部２Ｅが点検用雄型接触子３の透孔３Ｄに嵌合する。この雌型接触子２Ｄの球面状の突部２Ｅが点検用雄型接触子３の透孔３Ｄに嵌合した際の、筒状本体ケース４の先端４Ａの移動位置を、接触状態判別手段７により目視確認することで、コンセント２内の雌型接触子２Ｄとそのコンセント２に押し込まれる点検用雄型接触子３との間の接触状態の判別点検を行うことができる。
【００４５】  すなわち、点検用雄型接触子３を、約３秒かけてゆっくりと、コンセント２の差込口２Ｂに押し込ませた際の筒状本体ケース４の先端４Ａの移動位置が、赤色帯表示部７Ｂ−１の範囲で、雌型接触子２Ｄの突部２Ｅと点検用雄型接触子３の透孔３Ｄが嵌合した場合には、コンセント２の雌型接触子２Ｄと点検用雄型接触子３との接触が緩くなっている状態（以下、接触不良状態と称する）が確認される。また、筒状本体ケース４の先端４Ａの移動位置が、黄色帯表示部７Ｂ−２の範囲で、雌型接触子２Ｄの突部２Ｅと点検用雄型接触子３の透孔３Ｄが嵌合した場合には、コンセント２の雌型接触子２Ｄと点検用雄型接触子３との接触がやや緩くなりつつある状態（以下、接触監視状態と称する）が確認される。また、筒状本体ケース４の先端４Ａの移動位置が、緑色帯表示部７Ｂ−３の範囲で、雌型接触子２Ｄの突部２Ｅと点検用雄型接触子３の透孔３Ｄが嵌合した場合には、コンセント２の雌型接触子２Ｄと点検用雄型接触子３との接触状態が十分にきつくなっている状態（以下、接触良好状態と称する）が確認される。
【００４６】  上記一実施形態例の電気接続具用点検装置１において、筒状本体ケース４をコンセント２の差込口２Ｂに向かって押すのを止めると、弾性部材５が移動筒体６に案内されて軸方向に延びることで、点検用雄型接触子３が筒状本体ケース４の外方側に向かって移動して元の状態に、円滑に戻らせることができる。この状態は、筒状本体ケース４を把持して点検用雄型接触子３をコンセント２の差込口２Ｂから引き抜いても、図７に示すように、維持される。その後、点検用雄型接触子３を、コンセント２の残りの差込口２Ａに押し込ませることにより、コンセント２の差込口２Ｂ側と同様に、コンセント２内の雌型接触子２Ｃとそのコンセント２に押し込まれる点検用雄型接触子３との間の接触状態の判別点検を行うことで、コンセント２の一対の雌型接触子２Ｃ、２Ｄの点検作業を終了させることができる。
【００４７】  また、上記一実施形態例の電気接続具用点検装置１では、点検用雄型接触子３を、約３秒かけてゆっくりと、コンセント２の差込口２Ａ若しくは差込口２Ｂに押し込ませた際の、筒状本体ケース４の後端面４Ｂの移動位置を、接触状態判別手段７０で確認することによっても、コンセント２内の雌型接触子２Ｃ若しくは雌型接触子２Ｄとそのコンセント２に押し込まれる点検用雄型接触子３との間の接触状態の点検をすることができる。すなわち、筒状本体ケース４の後端面４Ｂの位置が、赤色帯表示部７０Ｂ−１の範囲で、雌型接触子２Ｃ若しくは雌型接触子２Ｄの突部２Ｅと点検用雄型接触子３の透孔３Ｄが嵌合した場合には、コンセント２の雌型接触子２Ｃ若しくは雌型接触子２Ｄと点検用雄型接触子３との接触が、接触不良状態であることが確認される。また、筒状本体ケース４の後端面４Ｂの移動位置が、黄色帯表示部７０Ｂ−２の範囲で、雌型接触子２Ｃ若しくは雌型接触子２Ｄの突部２Ｅと点検用雄型接触子３の透孔３Ｄが嵌合した場合には、コンセント２の雌型接触子２Ｃ若しくは雌型接触子２Ｄと点検用雄型接触子３との接触がやや緩くなりつつあり、接触監視状態であるが確認される。また、筒状本体ケース４の後端面４Ｂの移動位置が、緑色帯表示部７０Ｂ−３の範囲で、雌型接触子２Ｃ若しくは雌型接触子２Ｄの突部２Ｅと点検用雄型接触子３の透孔３Ｄが嵌合した場合には、コンセント２の雌型接触子２Ｃ若しくは雌型接触子２Ｄと点検用雄型接触子３との接触が、接触良好状態ことが確認される。
【００４８】  次に、上記一実施形態例の電気接続具用点検装置１の製作手順の一例を説明する。すなわち、電気接続具用点検装置１の製作は、下記の（イ）〜（ホ）の製作手順で作られる。
【００４９】（イ）始めに、先端側筒部材８の貫通口８Ｂから点検用雄型接触子３の先端側３Ａを、先端側筒部材８の外方に突出させた状態で、先端側筒部材８の内底８Ａに点検用雄型接触子３の根本部３Ｂを接着樹脂材３Ｃで固定することにより、先端側筒部材８に点検用雄型接触子３を取り付ける。
【００５０】（ロ）次いで、移動筒体６の先端側６Ａに、点検用雄型接触子３を取り付けた先端側筒部材８を圧入固定した後、その先端側筒部材８の外周面に沿って接触状態判別手段７を設ける。
【００５１】（ハ）次いで、先端側筒部材８が固定された移動筒体６の外周にコイルばねからなる弾性部材５を巻装させた状態で、その移動筒体６及び弾性部材５を筒状本体ケース４の先端４Ａ側から筒状本体ケース４内に挿入した後、その移動筒体６の後端側６Ｂを、筒状本体ケース４の内底４Ｃに設けられた挿入開口４Ｄの外方に向かって突出させる。
【００５２】（ニ）次いで、筒状本体ケース４の挿入開口４Ｄの外方に向かって突出させた移動筒体６の後端側６Ｂ部分に、後端側筒部材９を圧入固定することにより、筒状本体ケース４を把持して点検用雄型接触子３をコンセント２の差込口２Ａ内に押し込ませるとコイルばねからなる弾性部材５が軸方向に圧縮することで、筒状本体ケース４側に点検用雄型接触子３が移動し、かつ、筒状本体ケース４をコンセント２の差込口２Ａ側に向かって押すことを止めると、弾性部材５が軸方向に延びることで、点検用雄型接触子３が筒状本体ケース４の外方側に向かって移動して元の状態に戻るように構成した後、筒状本体ケース４の後端面４Ｂから外方に移動筒体６の外周面を露出させてその露出した部分に、接触状態判別手段７０を設ける。
【００５３】（ホ）最後に、先端側筒部材８の外方（前方）に突出させた点検用雄型接触子３の側面（厚さ部分）に液状の可塑性サーモペイントを塗布することで、温度検知手段１０を形成することにより、電気接続具用点検装置１の製作作業が完了する。
【００５４】  上記製作手順（ホ）において、温度検知手段１０を点検用雄型接触子３の側面に設けるようにしているが、これに限定されない。上記製作手順（イ）において、点検用雄型接触子３の側面に温度検知手段１０を設けた後、その点検用雄型接触子３を先端側筒部材８に取り付けるようにしてもよい。
【００５５】  また、上記製作手順（ロ）において、移動筒体６の先端側６Ａに先端側筒部材８を圧入固定した後、その先端側筒部材８に接触状態判別手段７を設けるようにしているが、これに限定されない。上記製作手順（ハ）において、先端側筒部材８が固定された移動筒体６及びコイルばねからなる弾性部材５を筒状本体ケース４の先端４Ａ側から筒状本体ケース４内に挿入した後、先端側筒部材８の外周に接触状態判別手段７に設けるようにしてもよい。
【００５６】  さらに、上記製作手順（ニ）において、筒状本体ケース４の挿入開口４Ｄの外方に向かって突出させた移動筒体６の後端６Ｂ部分に、後端側筒部材９を圧入固定した後、接触状態判別手段７０を設けるようにしているが、これに限定されない。上記製作手順（ハ）において、移動筒体６の外周にコイルばね部材５を装嵌させる前に、移動筒体６の外周に予め接触状態判別手段７０を設けるようにしてもよい。
【００５７】  次に、上記実施形態例の電気接続具用点検装置１を用いた点検作業手順の一例を説明する。すなわち、電気接続具用点検装置１の点検作業は、下記の（１）〜（８）の手順で行われる。
【００５８】（１）始めに、筒状本体ケース４を点検作業者が片手で把持して、点検用雄型接触子３の先端をコンセント２の差込口２Ａ若しくは差込口２Ｂのいずれか一方の入口、例えば、コンセント２の差込口２Ｂの入口に臨ませる。
【００５９】（２）次いで、コンセント２の差込口２Ｂの入口に臨ませた点検用雄型接触子３を、筒状本体ケース４を片手で把持した点検作業者が、筒状本体ケース４をコンセント２側に向かって押すことで、コンセント２の差込口２Ｂ内の雌型接触子２Ｄに押し込ませる（図６参照）。
【００６０】（３）次いで、さらに、筒状本体ケース４をコンセント２側に向かって押すことで、コンセント２の差込口２Ｂ内の雌型接触子２Ｄに、点検用雄型接触子３を押し込ませると、雌型接触子２Ｄと雄型接触子３との間で発生する接触圧力（摩擦力）による反力によって、点検用雄型接触子３に押圧力が加えられるために、点検用雄型接触子３が筒状本体ケース４側に向かって近づく方向に移動することで、筒状本体ケース４内のコイルばね部材５が軸方向に圧縮させられることにより、筒状本体ケース４側に向かって点検用雄型接触子３及び移動筒体６が移動させられるので、この移動距離の大きさを、先端側筒部材８の外周に設けた接触状態判別手段７あるいは移動筒体６の後端６Ｂの外周部分に設けた接触状態判別手段７０を目視することによって点検作業者が確認することにより、コンセント２の雌型接触子２Ｄとそのコンセント２に押し込まれる点検用雄型接触子３との間の接触状態の判別点検を行う。
【００６１】（４）次いで、接触状態判別手段７あるいは接触状態判別手段７０によって、点検用雄型接触子３の移動距離の大きさを、点検作業者が目視で確認することにより、コンセント２の雌型接触子２Ｄの点検結果が「接触良好状態」であった場合には、コンセント２の差込口２Ｂ内から点検用雄型接触子３を引き抜き、その点検用雄型接触子３を、コンセント２の残りの差込口２Ａの入口に当てた後、筒状本体ケース４をコンセント２側に向かって点検作業者が押すことで、コンセント２の差込口２Ａ内の雌型接触子２Ｃに点検用雄型接触子３を押し込ませる。
【００６２】（５）次いで、コンセント２の差込口２Ａ内の雌型接触子２Ｃに、点検用雄型接触子３を押し込ませると、雌型接触子２Ｃと雄型接触子３との間で発生する接触圧力による反力によって、点検用雄型接触子３に押圧力が加えられるために、点検用雄型接触子３が筒状本体ケース４側に向かって近づく方向に移動することで、筒状本体ケース４内のコイルばね部材５が軸方向に圧縮させられることにより、筒状本体ケース４側に点検用雄型接触子３及び移動筒体６が移動させられるので、この移動距離の大きさを、先端側筒部材８の外周に設けた接触状態判別手段７あるいは移動筒体６の後端６Ｂの外周部分に設けた接触状態判別手段７０を目視することによって点検作業者が確認することにより、コンセント２の雌型接触子２Ｃとそのコンセント２に押し込まれる点検用雄型接触子３との間の接触状態の判別点検を行う。
【００６３】（６）次いで、上記（３）の手順によって、コンセント２の雌型接触子２Ｄ側の点検結果が「接触良好状態」であって、かつ、上記（５）の手順によって、コンセント２の雌型接触子２Ｃ側の点検結果が「接触良好状態」であった場合には、「コンセント２の雌型接触子２Ｃ、２Ｄは正常である。」旨の報告を、コンセント２の点検依頼者（あるいはコンセント２の持主）に行うようにする。
【００６４】（７）上記（３）の手順によってコンセント２の雌型接触子２Ｄ側の点検結果が「接触不良状態」であった場合若しくは上記（５）の手順によってコンセント２の雌型接触子２Ｃ側の点検結果が、「接触不良状態」であった場合には、「コンセント２の雌型接触子２Ｃと雌型接触子２Ｄのいずれかが異常である若しくはコンセント２の雌型接触子２Ｃ及び雌型接触子２Ｄの両方が異常である。」旨の報告と「コンセント２の交換若しくは補修すべきである。」旨の報告を、コンセント２の点検依頼者（あるいはコンセント２の持主）に行うようにする。なお、上記（３）の手順によって、コンセント２の雌型接触子２Ｄ側の点検結果が、「接触監視状態」であった場合若しくは上記（５）の手順によって、コンセント２の雌型接触子２Ｃ側の点検結果が、「接触監視状態」であった場合には、「コンセント２の雌型接触子２Ｃ若しくは雌型接触子２Ｄと点検用雄型接触子３との接触がやや緩くなりつつある」旨の報告とコンセント２の点検を定期的にすべきである。」旨の報告を、コンセント２の点検依頼者（あるいはコンセント２の持主）に行うようにする。
【００６５】（８）冷蔵庫などのように一年中、連続して使用させる電気機器の電源プラグ（図示せず）が、コンセント２に差し込まれたままになっている場合には、その電源プラグをコンセント２から引き抜いた後、そのコンセント２に電気接続具用点検装置１の点検用雄型接触子３を所定時間、差し込んだ後、再び、コンセント２から電気接続具用点検装置１の点検用雄型接触子３を引き抜いて、点検用雄型接触子３に施された温度検知手段１０を目視する。温度検知手段１０の色が変化していなければ、「コンセント２は正常である。」と判断し、温度検知手段１０の色が変化していれば、「コンセント２は異常である。」旨の報告及び「コンセント２の交換若しくは補修すべきである。」旨の報告を、コンセント２の点検依頼者（あるいはコンセント２の持主）に行うようにする。
【００６６】  以上のように、上記一実施形態例の電気接続具用点検装置１によれば、電気接続具用点検装置１の点検用雄型接触子３を、コンセント２に抜き差しする動作で、コンセント２の雌型接触子２Ｃ、２Ｄとこの雌型接触子２Ｃ、２Ｄに押し込まれるところの電源プラグの雄型接触子との間の接触が緩くなるか否かの点検を、簡単に行うことができる。しかも、上記電気接続具用点検装置１は、点検用雄型接触子３、筒状本体ケース４、コイルばね部材５、移動筒体６、接触状態判別手段７、７０、先端側筒部材８及び後端側筒部材９からなり、きわめて簡単な機械的構造であって、低廉価にまとめることができる。
【００６７】  さらに、上記一実施形態例の電気接続具用点検装置１によれば、住宅の各部屋に設けられて、かつ、電気機器の電源プラグが差し込まれていない多数のコンセント２につき、一台の電気接続具用点検装置１によって、点検することができ、便利である。また、電気接続具用点検装置１が小形軽量であるので、持ち運びやすく、点検作業を円滑に行うことができる。また、上記一実施形態例の電気接続具用点検装置１によれば、コンセント２の一対の雌型接触子２Ｃ、２Ｄにつき、雌型接触子２Ｃ若しくは雌型接触子２Ｄのいずれか一方に点検用雄型接触子３を押し込んで点検作業を終了させた後、残りの雌型接触子２Ｃ若しくは雌型接触子２Ｄにつき、点検用雄型接触子３を押し込んで点検作業をするようにしたので、ブレーカを遮断してコンセント２への通電を遮断しなくても、コンセント２の一対の雌型接触子２Ｃ、２Ｄの点検作業を、家庭人等の素人であっても、感電することなく安全に行うことができる。
【００６８】  さらに、上記一実施形態例の電気接続具用点検装置１によれば、筒状本体ケース４を把持して点検用雄型接触子３を、約３秒かけてゆっくりと、コンセント２の差込口２Ｂに押し込ませる場合、移動筒体６によってコイルばねからなる弾性部材５が座屈することなく、その弾性部材５が軸方向に圧縮して、点検用雄型接触子３を円滑に筒状本体ケース４側に移動させることができる。しかも、コンセント２の差込口２Ｂに点検用雄型接触子３を押し込ませつつ、先端側筒部材８の外周に設けた接触状態判別手段７を直視することができるので、接触圧力による反力によって点検用雄型接触子３が押される押圧力の大きさを、目視で難なく確認できる。
【００６９】  さらに、上記一実施形態例の電気接続具用点検装置１によれば、連続して使用させる電気機器の電源プラグが差し込まれたままになっているコンセント２については、その電源プラグをコンセント２から引き抜いた後、そのコンセント２に対して点検用雄型接触子３を抜き差しすることにより、コンセント２の温度を温度検知手段１０で確認することができるので、コンセント２の発火、発煙等を未然に防止できる。なお、上記一実施形態例の電気接続具用点検装置１では、接触状態判別手段７と接触状態判別手段７０の両方を設けるようにしているが、接触状態判別手段７若しくは接触状態判別手段７０のいずれか一方のみを設けるようにしてもよい。また、上記一実施形態例の電気接続具用点検装置１の接触状態判別手段７は、目盛表示部７Ａと色彩表示部７Ｂとを備える構成としてあるが、これに限定されない。目盛表示部７Ａのみの接触状態判別手段７若しくは色彩表示部７Ｂのみの接触状態判別手段７とする構成とすることも可能であるし、接触状態判別手段７を、色彩表示部７Ｂの赤色帯表示部７Ｂ−１のみを設ける構成とすることも可能である。
【００７０】  次に、本発明の他実施形態例その１の電気接続具用点検装置１１を、図９により説明する。図９において、一実施形態例の電気接続具用点検装置１を示す図１〜図８と同一符号は、同一内容を表わしている。
【００７１】  図９に示す他実施形態例その１の電気接続具用点検装置１１は、合成樹脂製からなる有底円筒状本体ケース１２と、この有底円筒状本体ケース１２の先端開口１２Ａを覆う合成樹脂製の筒状蓋体１３と、点検用雄型接触子３と、この点検用雄型接触子３が一体的に取り付けられる合成樹脂製の円盤状台座１４と、前記有底円筒状本体ケース１２内に収納されるコイルばね部材１５とを、少なくとも備えている。筒状蓋体１３は、有底円筒状本体ケース１２の先端開口１２Ａに着脱自在に取り付けられる。円盤状台座１４及びコイルばね部材１５は、有底円筒状本体ケース１２の先端開口１２Ａから取り出し自在に設けられる。
【００７２】  上記他実施形態例その１の電気接続具用点検装置１１における筒状蓋体１３の内底中央には、図９に示すように、点検用雄型接触子３を突出させるための突出用角孔１３Ａが設けられている。筒状蓋体１３は、有底円筒状本体ケース１２の先端開口１２Ａ側の外周に螺着される。円盤状台座１４は、有底円筒状本体ケース１２に収納されたコイルばね部材１５の先端側に当接すると共に、筒状蓋体１３の突出用角孔１３Ａから点検用雄型接触子３が外方に突出した状態となるように、筒状蓋体１３内に設置される。
【００７３】  上記他実施形態例その１の電気接続具用点検装置１１では、点検作業者が、有底円筒状本体ケース１２を片手で握ってコンセント２の差込口２Ａ、２Ｂのいずれか一方に向かって有底円筒状本体ケース２を押すことで、コンセント２の差込口２Ａ、２Ｂのいずれか一方に点検用雄型接触子３を押し込むと、点検用雄型接触子３が一体的に取り付けられた円盤状台座１４によってコイルばね部材１５の先端１５Ａ側が押されることにより、コイルばね部材１５が圧縮して、点検用雄型接触子３と円盤状台座１４が一緒に、後方に移動して、点検用雄型接触子３が突出用角孔１３Ａから筒状蓋体１７内に引き込まれた状態となる。この状態で、点検作業者が、コンセント２の差込口２Ａ、２Ｂのいずれか一方に向かって有底円筒状本体ケース１２を押すことを止めて点検用雄型接触子３をコンセント２から離すと、コイルばね部材１５が伸びて、点検用雄型接触子３と円盤状台座１４が一緒に、前方に移動し、点検用雄型接触子３が、突出用角孔１３Ａから外方に元通りに突出した状態となる。
【００７４】  上記他実施形態例その１の電気接続具用点検装置１１では、筒状蓋体１３の突出用角孔１３Ａから一本の点検用雄型接触子３が引っ込む大きさを、目視で確認することによって、コンセント２内の雌型接触子２Ｃ若しくは雌型接触子２Ｄとそのコンセント２に押し込まれる点検用雄型接触子３との間の接触状態の判別点検を行うことができる。点検用雄型接触子３が引っ込む大きさは、円筒状本体ケース１２に設けた透明窓１６から円盤状台座１４の先端部１４Ａの位置が見られるようにすると共に、透明窓１６に、後述するところの指針付き接触状態判別手段２７の移動距離目盛表示部２７Ａ（図１２参照）を付すことで、点検作業者が把握できるようにしてある。
【００７５】  上記他実施形態例その１の電気接続具用点検装置１１では、有底円筒状本体ケース１２を把持して点検用雄型接触子３を約３秒かけてゆっくりと、コンセント２の差込口２Ａ若しくは差込口２Ｂのいずれか一方に押し込ませると、コンセント２内の雌型接触子２Ｃ若しくは雌型接触子２Ｄと点検用雄型接触子３との間の接触圧力により、点検用雄型接触子３が押圧力を受けて、コイルばね部材１５が軸方向に圧縮することで、有底円筒状本体ケース１２が前方に向かって移動しつつ、やがて、雌型接触子２Ｃ若しくは雌型接触子２Ｄの球面状の突部２Ｅが点検用雄型接触子３の透孔３Ｄに嵌合する。この雌型接触子２Ｃ若しくは雌型接触子２Ｄの球面状の突部２Ｅが点検用雄型接触子３の透孔３Ｄに嵌合した際の、円盤状台座１４の先端部１４Ａの位置を、移動距離目盛表示部２７Ａで確認することで、コンセント２内の雌型接触子２Ｄとそのコンセント２に押し込まれる点検用雄型接触子３との間の接触状態の判別点検を行うことができるようにしてある。
【００７６】  上記他実施形態例その１の電気接続具用点検装置１１によれば、上記一実施形態例の電気接続具用点検装置１のように、移動筒体６及び後端側筒部材９を必要とすることなく、筒状蓋体１３の突出用角孔１３Ａから点検用雄型接触子３を、筒状蓋体１３内に引き込ませたり、筒状蓋体１３の外方に突出させたりすることができるので、より構造が簡単となる。なお、上記他実施形態例その１の電気接続具用点検装置１１において、筒状蓋体１３の突出用角孔１３Ａから点検用雄型接触子３が引っ込む大きさは、点検用雄型接触子３に、直接、後述するところの移動距離目盛表示部２７Ａを付すことによっても、点検作業者が把握できるようにすることができる。
【００７７】  次に、本発明の他実施形態例その２の電気接続具用点検装置１７を、図１０〜図１２により説明する。図１０〜図１２において、一実施形態例の電気接続具用点検装置１を示す図１〜図８と同一符号は、同一内容を表わしている。
【００７８】  図１０〜図１２に示す他実施形態例その２の電気接続具用点検装置１７は、コンセント２の差込口２Ａ若しくは差込口２Ｂに差し込まれてコンセント２内の雌型接触子２Ｃ若しくは雌型接触子２Ｄに接触するところの点検用雄型接触子３と、この点検用雄型接触子３を外方に向かって突出するように保持し、かつ、片手で把持可能である箱型本体ケース１８を、少なくとも備えている。点検用雄型接触子３は、掃除機やヘアードライヤなどの電気機器に接続された電源プラグの雄型接触子と同形状及び同材質としてある。箱型本体ケース１８は、合成樹脂製の上面開口の箱部１８Ａとこの箱部１８Ａの上面開口を覆う合成樹脂製の蓋部１８Ｂから構成され、大人が握ったときに握りやすい大きさに設定されている。蓋部１８Ｂは、箱部１８Ａに複数個の小ネジ等で、着脱自在に取り付けられる。
【００７９】  図１０〜図１２に示す他実施形態例その２の電気接続具用点検装置１７では、箱型本体ケース１８をコンセント２側に向かって押して点検用雄型接触子３をコンセント２の差込口２Ａ若しくは差込口２Ｂのいずれか一方に押し込むと、コンセント２内の雌型接触子２Ｃ若しくは雌型接触子２Ｄのいずれか一方と点検用雄型接触子３との間で発生する接触圧力による反力によって、点検用雄型接触子３が押されることによりコイルばねからなる弾性部材５が軸方向に縮むことで、点検用雄型接触子３及び移動筒体６が箱型本体ケース１８の後端面１８Ｅ側に向かってに移動し、かつ、箱型本体ケース１８をコンセント２側に向かって押すことを止めると、コイルばねからなる弾性部材５が軸方向に伸びることで、点検用雄型接触子３及び移動筒体６が箱型本体ケース１８の先端面１８Ｃ側に向かってに移動するように、点検用雄型接触子３及び移動筒体６を箱型本体ケース１８に対して移動可能に設けるようにしている。
【００８０】  上記他実施形態例その２の電気接続具用点検装置１７における箱型本体ケース１８の先端面１８Ｃには、図１１に示すように、点検用雄型接触子３及び取り付け円筒体１９の一部を、箱型本体ケース１８の外方に向かって突出させるための先端開口１８Ｄが設けられている。箱型本体ケース１８の後端面１８Ｅの中央には、移動筒体６の後端側６Ｂを箱型本体ケース１８の外方に突出させるための後端開口１８Ｆが設けられている。点検用雄型接触子３は、取り付け円筒体１９及び取り付け台座２０を用いて移動筒体６の先端側６Ａに固定される。移動筒体６の後端側６Ｂには、後端側筒部材９が固定されている。
【００８１】  本発明の他実施形態例その２の電気接続具用点検装置１７では、後述する指針表示機構２１によって、点検用雄型接触子３が箱型本体ケース１８側に移動した距離を目視確認するようにしている。指針表示機構２１は、図１０及び図１１に示すように、箱型本体ケース１８の蓋部１８Ｂに設けたスリット２２、このスリット２２に摺動嵌合させた支持棒２３と、この支持棒２３を取り付け円筒体１９に一体的に取り付ける取り付け部材２４と、支持棒２３の先端をスリット２２上方に突出させてその突出部分に固定した指針２５と、この指針２５及びスリット２２を覆うために箱型本体ケース１８の蓋部１８Ｂに設けられた透明カバー２６と、透明カバー２６の上面に設けた指針付き接触状態判別手段２７とからなっている。
【００８２】  上記他実施形態例その２における指針付き接触状態判別手段２７は、図１１及び図１２に示すように、スリット２２を摺動する指針２５を挟んで対向するように、移動距離目盛表示部２７Ａと色彩表示判定部２７Ｂが透明カバー２６の上面に設けるようにしてある。
【００８３】  移動距離目盛表示部２７Ａは、零ｍｍから２０ｍｍの範囲で、かつ、１ｍｍ単位で点検用雄型接触子３の箱型本体ケース１８側への移動距離が確認できるように、目盛が付けられる構成としてある。そして、移動距離目盛表示部２７Ａの零ｍｍ目盛が、箱型本体ケース１８の透明カバー２６の前端側２６Ａに位置するように、かつ、その零ｍｍ目盛から箱型本体ケース１８の透明カバー２６の後端側２６Ｂに向かって２０ｍｍまでの目盛が、透明カバー２６に設けられている。
【００８４】  指針付き接触状態判別手段２７の色彩表示判定部２７Ｂは、図１２に示すように、移動距離目盛表示部２７Ａに対向して設けられて点検用雄型接触子３が箱型本体ケース１８側に移動した距離の大きさ、すなわち、雌型接触子２Ｃ若しくは雌型接触子２Ｄのいずれか一方と点検用雄型接触子３との間の接触圧力による反力によって、点検用雄型接触子３が押される押圧力の大きさを、目視で確認しやすくなるようにするためのものである。
【００８５】  色彩表示判定部２７Ｂは、図１２に示すように、図８の赤色帯表示部７Ｂ−１と同様の赤色帯表示部２７Ｂ−１と、図８の黄色帯表示部７Ｂ−２と同様の黄色帯表示部２７Ｂ−２と、図８の緑色帯表示部７Ｂ−３と同様の緑色帯表示部２７Ｂ−３とからなり、箱型本体ケース１８の透明カバー２６の前端側２６Ａから透明カバー２６の後端側２６Ｂに向かって、赤色帯表示部２７Ｂ−１、黄色帯表示部２７Ｂ−２、緑色帯表示部２７Ｂ−３の順で表示されるように設けられている。指針付き接触状態判別手段２７は、移動距離目盛表示部２７Ａ及び色彩表示判定部２７Ｂを予め印刷したシールとし、そのシールを箱型本体ケース１８の透明カバー２６の上面に貼り付けるようにしてある。
【００８６】  上記他実施形態例その２の電気接続具用点検装置１７によれば、点検用雄型接触子３、取り付け円筒体１９及び移動筒体６が、コンセント２の差込口２Ａ若しくは差込口２Ｂのいずれか一方に押し込まれた際に生じるところの、雌型接触子２Ｃ若しくは雌型接触子２Ｄのいずれか一方と点検用雄型接触子３との間の接触圧力により、弾性部材５が圧縮して箱型本体ケース１８側に移動すると、取り付け円筒体１９と一体的に設けられている支持棒２３によってスリット２２内を指針２５が摺動するので、その指針２５の位置を、移動距離目盛部２７Ａ及び良否判定色彩部２７Ｂで確認することによって、コンセント２内の雌型接触子２Ｃ若しくは雌型接触子２Ｄとそのコンセント２に押し込まれる点検用雄型接触子３との間の接触状態の判別点検を行うことができる。すなわち、箱型本体ケース１８を把持して点検用雄型接触子３を、約３秒かけてゆっくりと、コンセント２の差込口２Ａ若しくは差込口２Ｂのいずれか一方に押し込ませると、コンセント２内の雌型接触子２Ｃ若しくは雌型接触子２Ｄのいずれか一方と点検用雄型接触子３との間の接触圧力により、点検用雄型接触子３が押圧力を受けて、コイルばねからなる弾性部材５が軸方向に圧縮することで、箱型本体ケース１８が前方に向かって移動しつつ、やがて、雌型接触子２Ｃ若しくは雌型接触子２Ｄのいずれか一方の球面状の突部２Ｅが点検用雄型接触子３の透孔３Ｄに嵌合する。この雌型接触子２Ｃ若しくは雌型接触子２Ｄのいずれか一方の球面状の突部２Ｅが点検用雄型接触子３の透孔３Ｄに嵌合した際の、指針２５の位置を、移動距離目盛部２７Ａ及び良否判定色彩部２７Ｂで確認することで、コンセント２内の雌型接触子２Ｄとそのコンセント２に押し込まれる点検用雄型接触子３との間の接触状態の判別点検を行うことができる。
【００８７】  上記他実施形態例その２の電気接続具用点検装置１７によれば、指針２５によって、移動距離目盛部２７Ａの目盛のどの位置及び色彩表示判定部２７Ｂのどの色彩の位置にあるかを、点検作業者が、的確に、把握することができる。また、上記他実施形態例その２の電気接続具用点検装置１７によれば、箱型本体ケース１８の蓋部１８Ｂの上面平坦部分に、指針付き接触状態判別手段２７が設けられているので、指針２５が示すところの、移動距離目盛部２７Ａの目盛の位置と色彩表示判定部２７Ｂのどの色彩の位置が見易くなる。なお、指針２５を、置き針構造にするようにしてもよい。
【００８８】  上記いずれの実施形態例であっても、コンセント２に電気機器の電源プラグが差し込まれない（押し込まない）うちに、コンセント２の雌型接触子２Ｃ、２Ｄの点検を行い、そのコンセント２の交換若しくは修理を行わせることができるので、コンセント２の発火、発煙等の発生を未然に防止できる。また、上記いずれの実施形態例であっても、きわめて簡単な機械的構造であり、電気部品を用いる必要がないので、低価格化が可能である。
【００８９】  なお、上記いずれの実施形態例では、コンセント２の差込口２Ａ若しくは差込口２Ｂのいずれか一方に押し込まれてコンセント２内の雌型接触子２Ｃ若しくは雌型接触子２Ｄのいずれか一方に接触する一本の点検用雄型接触子３を、筒状本体ケース４に設ける構造としているが、二本の点検用雄型接触子３を設け、コンセント２の差込口及び差込口２Ｂに同時に点検用雄型接触子３を押し込んで、コンセント２内の雌型接触子２Ｃ及び雌型接触子２Ｄとその雌型接触子２Ｃ及び雌型接触子２Ｄに押し込まれる点検用雄型接触子３との間の接触状態の判別点検を同時に行うようにすることも可能である。
【符号の説明】
【００９０】１    一実施形態例の電気接続具用点検装置
２    コンセント
２Ａ、２Ｂ  差込口
２Ｃ、２Ｄ  雌型接触子
２Ｅ  球面状の突部
３    一本の点検用雄型接触子
３Ａ  先端側
３Ｂ  根本部
３Ｃ  接着樹脂材
３Ｄ  透孔
４    筒状本体ケース
４Ａ  先端
４Ｂ  後端面
４Ｃ  内底
４Ｄ  挿入開口
５    弾性部材
５Ａ  先端
５Ｂ  後端
６    移動筒体
６Ａ  先端側
６Ｂ  後端側
７、７０  接触状態判別手段
７Ａ、７０Ａ  目盛表示部
７Ｂ、７０Ｂ  色彩表示部
７Ｂ−１、７０Ｂ−１  赤色帯表示部
７Ｂ−２、７０Ｂ−２  黄色帯表示部
７Ｂ−３、７０Ｂ−３  緑色帯表示部
８    先端側筒部材
８Ａ  内底
８Ｂ  貫通口
８Ｃ  端縁
８Ｄ  先端面
９    後端側筒部材
９Ａ  端縁
１０  温度検知手段
【図１】
0003185075.tif 000003
【図２】
0003185075.tif 000004
【図３】
0003185075.tif 000005
【図４】
0003185075.tif 000006
【図５】
0003185075.tif 000007
【図６】
0003185075.tif 000008
【図７】
0003185075.tif 000009
【図８】
0003185075.tif 000010
【図９】
0003185075.tif 000011
【図１０】
0003185075.tif 000012
【図１１】
0003185075.tif 000013
【図１２】
0003185075.tif 000014